(57)【要約】【課題】連続した１本のストラップを用いて、肩掛けによる使用形態と背負いによる使用形態とを選択可能とし、かつ、その使用形態の変更を簡単な操作で迅速に行なえる多機能バッグを提供することを課題とする。【解決手段】物品収納部を備えたバッグ本体２と、このバッグ本体２に装着された携帯用のストラップ３とを備え、前記バッグ本体２の上部には、前記ストラップ３が挿通される一対のガイド具４が設けられ、前記バッグ本体２の下部には、前記ストラップ３の各端部が係止される一対の係止具５が前記各ガイド具の下方位置に設けられ、前記ストラップ３の各端部を、それぞれ異なる前記ガイド具４の一つに挿通させた後に、それぞれ異なる前記係止具５の一つに係止することにより、前記ストラップ３を前記バッグ本体２に装着した構成となっている。【選択図】図１
0003201458.tif 000002
【実用新案登録請求の範囲】
【請求項１】
物品収納部を備えたバッグ本体と、このバッグ本体に装着された携帯用のストラップとを備え、前記バッグ本体の上部には、前記ストラップが挿通される一対のガイド具が設けられ、前記バッグ本体の下部には、前記ストラップの各端部が係止される一対の係止具が前記各ガイド具の下方位置に設けられ、前記ストラップの各端部を、それぞれ異なる前記ガイド具の一つに挿通させた後に、それぞれ異なる前記係止具の一つに係止することにより、前記ストラップを前記バッグ本体に装着してなることを特徴とする多機能バッグ。
【請求項２】
前記各ガイド具に挿通させられた前記ストラップの各端部が、前記各ガイド具の下方に位置させられた前記係止具に係止されて、前記ガイド具と前記係止具との間で、前記ストラップが平行に保持されていることを特徴とする請求項１に記載の多機能バッグ。
【考案の詳細な説明】
【技術分野】
【０００１】
本考案は、手提げ、肩掛け、あるいは、背負いといった多種類の使用形態を可能とした多機能バッグに関するものである。
【背景技術】
【０００２】
一般的に、物品を収納して持ち運ぶバッグは、前記物品が収納されるバッグ本体に、手提げ用の短い把手や、肩掛け用の長めのストラップ、あるいは、背負い用の一対のストラップを単独で装着した構造となっている。
【０００３】
そして、使用者は、持ち運ぶ物品の種類や天候、あるいは、好みに応じて、手提げや肩掛け、あるいは、背負いの何れかの使用形態を決め、この使用形態にあわせて前記バッグを使い分けている。
【０００４】
このために、使用者は、使用目的に応じて複数のバッグを用意しなければならないために、その対策が要望されている。
【０００５】
そこで、従来では、たとえば特許文献１に示されるように、一対の背負い用のストラップを肩掛け用のストラップと兼用することにより、一対のストラップで２つの使用形態を選択することができる多機能バッグが提案されている。
【先行技術文献】
【特許文献】
【０００６】
【特許文献１】特開平１０−２０１５２２号公報
【０００７】
この技術は、２つの広幅側部と２つの狭幅側部と底部とから構成されるバッグにおいて、前記広幅側部のそれぞれの上方両端で前記狭幅側部と接する位置に取り付け部が形成され、この取り付け部に挿通部が形成され、該挿通部には環状取手が挿通されるとともに連結具も取り付けられており、一方の連結具には、二本のベルトが取り付けられ、このベルトは途中でバックルによって他方のベルトに連結されて、この他方のベルトが他方の連結具の中を通って一方の狭幅側部の底部付近に縫着されことにより、前記ベルトを各々前記バックルで止めて前記連結具の間に位置させることでショルダーバックとして、また、前記連結具を接近させることでリュックサックとし、さらに、２つの前記環状取手を纏めることで手提げバックとする、３種類の使用形態を可能とした多機能バッグを提案している。
【考案の概要】
【考案が解決しようとする課題】
【０００８】
ところで、前述した従来の技術にあっては、リュックサックとして使用するために必要な一対のストラップを、バッグの上方一端部において集合させるとともに前記バッグの上方他端部へ引き回した構成としている。
【０００９】
そして、リュックサックとして使用する際には、前記一対のストラップを前記バッグの一端部から引き出すように移動させることにより、前記バッグの上方一端部と上方他端部を引き寄せるとともに、この上方一端部において前記一対のストラップを固定した状態で、この一対のストラップを、前記バッグの側部に引き出すようにしている。
【００１０】
使用者は、各腕を前記各ストラップに通すとともに、これらのストラップを左右の肩周りにそれぞれかけることによってリュックサックとして使用する。
【００１１】
しかしながら、リュックサックの使用形態とした場合、前記バッグの上方両端部が引き寄せられていることから、このバッグが閉状態に保持される。
したがって、バッグを背負った状態でバッグを開くことができず、バッグを開くには、一旦、バッグを降ろし、前記ストラップの固定を解いた後にこれらのストラップを前記バッグの一端部において滑らせて、前記バッグの他端部を一端部から引き離すように移動させる操作が必要となる。
【００１２】
また、ショルダーバッグとして使用する際には、前記ストラップの固定を解いた後にこれらのストラップを前記バッグの一端部において滑らせて、前記バッグの上方両端部を離間させるとともに、両端部間に前記一対のストラップを引き出す。
【００１３】
使用者は、両端部間に引き出された一対のストラップを肩に掛けることにより、ショルダーバッグとして使用する。
【００１４】
このように、従来のバッグにあっては、リュックサックとしての使用形態とショルダーバッグとしての使用形態とを切り替える際に、前記ストラップの固定操作やその解除操作を行なわなければならず、操作が極めて煩雑である。
【００１５】
そして、リュックサックとして使用している状態においてバッグへの物品の出し入れを行なう場合、前記バッグを背中から降ろして肩に担ぎ（ショルダーバッグの使用形態とし）、この状態で物品の出し入れを行なうのが一般的である。
【００１６】
しかしながら、このような物品の出し入れに際しても、前述したような使用形態を切り替える際の操作性の煩雑さが大きく影響する。
【００１７】
本考案は、前述した従来の技術において残されている問題点に鑑みなされたもので、連続した１本のストラップを用いて、肩掛けによる使用形態と背負いによる使用形態とを選択可能とし、かつ、その使用形態の変更を簡単な操作で迅速に行なえる多機能バッグを提供することを解決すべき課題としている。
【課題を解決するための手段】
【００１８】
本考案の多機能バッグは、物品収納部を備えたバッグ本体と、このバッグ本体に装着された携帯用のストラップとを備え、前記バッグ本体の上部には、前記ストラップが挿通される一対のガイド具が設けられ、前記バッグ本体の下部には、前記ストラップの各端部が係止される一対の係止具が前記各ガイド具の下方位置に設けられ、前記ストラップの各端部を、それぞれ異なる前記ガイド具の一つに挿通させた後に、それぞれ異なる前記係止具の一つに係止することにより、前記ストラップを前記バッグ本体に装着してなることを特徴とする。
【００１９】
このような構成とした本考案の多機能バッグにあっては、前記ストラップが、下方の係止具の一つから上方のガイド具の一つを通り、さらに、上方の他のガイド具を通って、下方の他の係止具へと引き回され、かつ、前記ストラップの各端部が前記各係止具に係止されることにより、前記バッグ本体と一体化される。
【００２０】
そして、前述したように前記バッグ本体に一体化された前記ストラップは、前記一対のガイド具間に位置させられる部位が、前記バッグ本体の上部に配置され、残余の部位が、前記各ガイド具のそれぞれから、前記バッグ本体の側部に沿い、前記各係止具へ至るように２条に配置される。
【００２１】
一方、前記ストラップが挿通される一対の前記ガイド具の間隔は、前記ストラップの一部を前記バッグ本体に沿わせるのに必要な間隔でよく、その間隔を大きく採る必要はない。
【００２２】
ここで、前記ガイド具と前記係止具との間において、前記２条のストラップを前記バッグ本体から離間するように引き出すことにより、このバッグ本体の側部に、１本のストラップの一部によって、一対の背負い用ストラップ部が形成される。
【００２３】
これによって、前記バッグ本体がリュックサックとしての使用形態となされる。
使用者は、両腕のそれぞれを、前記各背負い用ストラップ部に挿入し、これらの各背負い用ストラップ部を各肩周りに掛けることにより、リュックサックとして使用することができる。
【００２４】
このようなリュックサックとしての使用形態において、前記ストラップによって、前記ストラップが挿通された前記両ガイド具が、これらの間隔を狭めるように接近させられることが想定される。
【００２５】
しかしながら、前記両ガイド具の間隔を小さく抑えることができるので、これらのガイド具の接近による前記バッグ本体上部の変形が抑制される。
【００２６】
したがって、前記バッグ本体の上部に開口が設けられている場合にあっても、その開口が狭められてしまうことがなく、前記バッグ本体を背負った状態での物品の出し入れが可能である。
【００２７】
一方、前記ストラップの、前記両ガイド具間に位置させられた部位を前記バッグ本体の上方へ引き上げることにより、前記ストラップにより、前記バッグ本体の上方に肩掛け用ストラップが形成される。
【００２８】
使用者は、前記肩掛け用ストラップを肩に掛けることによって、前記バッグをショルダーバッグとして使用することができる。
【００２９】
このように、リュックサックの使用形態からショルダーバッグとしての使用形態への変更を、前記ストラップをバッグ本体の上方に引き上げる、あるいは、前記ストラップを固定した状態で前記バッグ本体を下げるといった単純な操作で迅速に行なうことができる。
【００３０】
そして、前記各ガイド具に挿通させられた前記ストラップの各端部を、前記各ガイド具の下方に位置させられた前記係止具に係止させることにより、前記ガイド具と前記係止具との間で、前記ストラップを平行に保持することができる。
【考案の効果】
【００３１】
本考案の多機能バッグによれば、連続した１本のストラップを用い、このストラップをバッグ本体の側部に引き出して背負いによる使用形態とし、また、前記ストラップをバッグ本体の上方に引き出して肩掛けによる使用形態とすることができる。
このようにストラップをバッグ本体に対してスライドさせるといった単純な操作によって迅速に使用形態を変更することができる。
【図面の簡単な説明】
【００３２】
【図１】本考案の一実施形態を示すもので、背負って使用する際の状態を示す斜視図である。
【図２】本考案の一実施形態を示すもので、使用形態を変更する際の途中の状態を示す斜視図である。
【図３】本考案の一実施形態を示すもので、肩に掛けて使用する際の状態を示す斜視図である。
【考案を実施するための形態】
【００３３】
以下、本考案の一実施形態を図１ないし図３を参照して説明する。
これらの図において、符号１は、本実施形態に係わる多機能バッグを示し、この多機能バッグ１は、物品収納部を備えたバッグ本体２と、このバッグ本体２に装着された携帯用のストラップ３とを備え、前記バッグ本体２の上部には、前記ストラップ３が挿通される一対のガイド具４が設けられ、前記バッグ本体３の下部には、前記ストラップ３の各端部が係止される一対の係止具５が前記各ガイド具４の下方位置に設けられ、前記ストラップ３の各端部を、それぞれ異なる前記ガイド具４の一つに挿通させた後に、それぞれ異なる前記係止具５の一つに係止した構成となっている。
【００３４】
前記各ガイド具４は、本実施形態においては、金属棒を矩形状に折曲して形成されている。
これらのガイド具４は、前記バッグ本体２と同質材料によって帯状に形成された止着部材６を用いて、前記バッグ本体２の上部に、その幅方向に間隔をおいて止着されている。
【００３５】
すなわち、前記止着部材６は、前記ガイド具４に挿入された後に折り曲げられて、その端部同士が重畳させられることにより、前記ガイド具４の一部を取り囲んでいる。
【００３６】
そして、前記止着部材６は、その重畳部分において前記バッグ本体２に縫い付けられて、前記ガイド具４を前記バッグ本体２に止着している。
【００３７】
前記各係止具５も前記ガイド具４と同様に形成され、かつ、前記止着部材６と同様の止着部材７によって、前記バッグ本体２の下部に、その幅方向に間隔をおいて止着されている。
【００３８】
一方、前記ストラップ３の各端部近傍には、その長さ方向に移動可能なスライダー８が装着されている。
【００３９】
前記スライダー８には、前記止着部材７に挿入されて折り返された前記ストラップ３の端部が固定されており、前記スライダー８を前記ストラップ３の長さ方向に移動させることによって前記ストラップ３の折り返し長さ、すなわち、前記ストラップ３の長さが調整されるようになっている。
【００４０】
さらに、本実施形態においては、前記ストラップ３の、前記両ガイド具４間に位置させられる部位に、筒状の滑り止め９が装着され、この滑り止め９は、その長さが前記両ガイド具４間の間隔とほぼ等しく形成されている。
【００４１】
また、本実施形態においては、前記バッグ本体２の上部で、前記ガイド具４の間には、上方へ向かって突出させられた手提げ用の把手１０が取り付けられている。
【００４２】
このような構成とした本考案の多機能バッグ１にあっては、前記ストラップ３が、下方の係止具の５一つから上方のガイド具４の一つを通り、さらに、上方の他のガイド具４を通って、下方の他の係止具５へと引き回され、かつ、前記ストラップ３の各端部が前記各係止具５を介して前記バッグ本体２に止着されている。
【００４３】
そして、前記ガイド具４と前記係止具５との間において、前記ストラップ３を前記バッグ本体２から離間するように引き出すことにより、図１に示すように、このバッグ本体２の側部に、１本のストラップ３の一部によって、一対の背負い用ストラップ部３ａが形成される。
【００４４】
このように、前記１本のストラップ３を前記バッグ本体２の側部に引き出すといった単純な操作によって、前記多機能バッグ１をリュックサックとしての使用形態とすることができる。
使用者は、両腕のそれぞれを、前記各背負い用ストラップ部３ａに挿入し、これらの各背負い用ストラップ部３ａを各肩周りに掛けることにより、リュックサックとして使用することができる。
【００４５】
このようなリュックサックとしての使用形態において、前記両ガイド具４の間隔が小さく抑えられているので、これらのガイド具４の接近による前記バッグ本体２上部の変形が抑制される。
【００４６】
したがって、前記バッグ本体２の上部に開口が設けられている場合にあっても、その開口が狭められてしまうことがなく、前記バッグ本体２を背負った状態での物品の出し入れが可能である。
【００４７】
ここで、本実施形態においては、前記滑り止め９が前記両ガイド具４間に位置させられていることにより、これらのガイド具４の接近する方向への相対移動が前記滑り止め９によって阻止される。
【００４８】
したがって、前述した滑り止め９によって、前記バッグ本体２の開口部が狭められてしまうことが一層抑制される。
【００４９】
一方、前記ストラップ３の、前記両ガイド具４間に位置させられた部位を、図２に示すように、前記バッグ本体２の上方へ引き上げ、さらに、図３に示すように、前記ストラップ３の前記背負い用ストラップ部３ａが伸びきるまで前記ストラップ３を引き上げることにより、前記バッグ本体２の上方に肩掛け用ストラップ部３ｂが形成される。
【００５０】
使用者は、前記肩掛け用ストラップ部３ｂを肩に掛けることによって、多機能バッグ１をショルダーバッグとして使用することができる。
このように、前記ストラップ３を前記バッグ本体２の上方に引き上げ、あるいは、前記ストラップ３を固定した状態で前記バッグ本体２を下げるといった単純な操作によってショルダーバッグとしての使用形態とすることができる。
【００５１】
このようなショルダーバッグとしての使用形態において、前記肩掛け用ストラップ３は、１本のストラップによって形成されていることから、前記ストラップ３と使用者の肩との接触具合が安定し、安定した使用感が得られる。
【００５２】
また、本実施形態においては、前記把手１０を用いることにより、前記多機能バッグ１を手提げで携帯することもできる。
【００５３】
そして、前述したリュックサックとしての使用形態とショルダーバッグとしての使用形態とするのに、前記１本のストラップ３を前記バッグ本体２の側方へ引き出し、また、上方へ引き出すといった簡便な操作によって迅速に行なうことができ、これらの使用形態を変更する際においても同様に迅速に切り替えることができる。
【００５４】
なお、前記各実施形態において示した各構成部材の諸形状や寸法等は一例であって、設計要求等に基づき種々変更可能である。
【符号の説明】
【００５５】
１  多機能バッグ
２  バッグ本体
３  ストラップ
３ａ  背負い用ストラップ部
３ｂ  肩掛け用ストラップ部
４  ガイド具
５  係止具
６  止着部材
７  止着部材
８  スライダー
９  滑り止め
１０  把手
【図１】
0003201458.tif 000003
【図２】
0003201458.tif 000004
【図３】
0003201458.tif 000005